(57)【特許請求の範囲】
【請求項１】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタに水を供給するカートリッジ給水タンクと、ファンモータの運転を含む各種運転を制御する制御回路と、各種運転の表示を行なう表示装置とを有する空気清浄機において、
表示装置は、空気清浄機の掃除を含むメンテナンス時期を報知するメンテナンス時期表示ランプを含むメンテナンス時期表示手段を有し、
前記カートリッジ給水タンクの脱着が所要回数に達したら、前記メンテナンス時期の報知が行なわれ、
前記制御回路が有する前記所要回数を計測するメンテナンス時期計測カウンタ機能による前記所要回数のカウントには、前記カートリッジ給水タンクの脱着が行なわれない状態での所定時間の経過を１回としてカウントに加えることを特徴とする空気清浄機。
【請求項２】
請求項１記載の空気清浄機において、
前記メンテナンス時期計測カウンタ機能によるカウントが前記所要回数に達した後に前記カートリッジ給水タンクの脱着が行なわれると、その時点から前記所要回数のカウントが新たに開始されることを特徴とする空気清浄機。
【請求項３】
請求項１記載の空気清浄機において、
前記所要回数は、前記カートリッジ給水タンクの脱着が行なわれない状態の所定時間経過を１カウントするカウント回数と、前記カートリッジ給水タンクの脱着をカウントするカウント回数との累計を含むことを特徴とする空気清浄機。
【請求項４】
請求項１〜３の何れかに記載された空気清浄機において、
前記カートリッジ給水タンクの脱着検知手段としてリードスイッチを用いることを特徴とする空気清浄機。
【発明の詳細な説明】
【技術分野】
【０００１】
本発明は、空気中の埃や塵等の微粒子、臭いやホルムアルデヒド等の成分物質を除去する空気清浄機に関する。
【背景技術】
【０００２】
空気清浄機は、例えば、特開２００１−７９４４４号公報（特許文献１）に示すように、空気中の微粒子に帯電させるイオン化装置と、集塵用の濾材と活性炭とからなる集塵脱臭フィルタとを有する。
【０００３】
また、別の空気清浄機は、空気が流通するフィルタユニットと、このフィルタユニットの下流側に設けられたファンモータと、フィルタユニットとファンモータとの間に設けた気化フィルタと、イオン発生手段と、気化フィルタに供給される水の補充を行なうカートリッジ給水タンクを有する。そして、カートリッジ給水タンクの着脱が行なわれると、表示装置に着脱が表示されるようになっている。
【０００４】
【特許文献１】特開２００１−７９４４４号公報
【発明の開示】
【発明が解決しようとする課題】
【０００５】
気化フィルタに供給される水は、古くなると臭ったり、腐ったりする。これの対応としては、カートリッジ給水タンクの水を早めに新しい水に交換することである。
【０００６】
しかし、水交換が放置されると、古い腐った臭いのする水が気化フィルタに供給されるので、空気清浄機は不衛生な空気の発生源になりかねない。
【０００７】
本発明は、上記の問題に対処し、水が腐る前に定期的にカートリッジ給水タンクの水交換が行な得る空気清浄機を提供することにある。
【０００８】
また、空気清浄機のメンテナンスも定期的に行な得る空気清浄機を提供することにある。
【課題を解決するための手段】
【０００９】
本発明は、空気が流通するフィルタユニットと、このフィルタユニットの下流側に設けられたファンモータと、フィルタユニットとファンモータとの間に配置され、空気に加湿する気化フィルタと、気化フィルタに水を供給するカートリッジ給水タンクと、ファンモータの運転を含む各種運転を制御する制御回路と、各種運転の表示を行なう表示装置とを有する空気清浄機において、表示装置は、気化フィルタに供給する水の交換時期を報知する交換時期表示ランプを含む交換時期表示手段を有し、カートリッジ給水タンクの脱着が行なわれずに所定時間が経過すると、交換時期の報知が行なわれることを特徴とする。
【００１０】
また、本発明は、空気が流通するフィルタユニットと、このフィルタユニットの下流側に設けられたファンモータと、フィルタユニットとファンモータとの間に配置され、空気に加湿する気化フィルタと、気化フィルタに水を供給するカートリッジ給水タンクと、ファンモータの運転を含む各種運転を制御する制御回路と、各種運転の表示を行なう表示装置とを有する空気清浄機において、表示装置は、空気清浄機の掃除を含むメンテナンスの時期を報知するメンテナンス時期表示ランプを含むメンテナンス時期表示手段を有し、カートリッジ給水タンクの脱着が所要回数に達したら、メンテナンス時期の報知が行なわれることを特徴とする。
【発明の効果】
【００１１】
本発明によれば、水交換時期が報知されるので、カートリッジ給水タンクの水交換を忘れずに行なうことができる。
【００１２】
また、本発明によれば、メンテナンス時期が報知されるので、空気清浄機のメンテナンスを忘れずに行なうことができる。
【発明を実施するための最良の形態】
【００１３】
本発明の実施例について、図面を引用して説明する。
【００１４】
まず、空気清浄機の概要について、図１、図２を引用して述べる。
【００１５】
本体枠体１は、主部枠体２と前部枠体３を有する。本体枠体１の前面には、前パネル４が取り付けられる。
【００１６】
本体枠体１は、内部にフィルタユニット５、気化フィルタ６、ファンモータ７を備える。フィルタユニット５、気化フィルタ６は、前部枠体３側に位置する。ファンモータ７は、主部枠体２側に位置する。ファンモータ７は、ターボファン７ａ、電動機７ｂを有する。
【００１７】
主部枠体２は、内部にファンケーシング８を有する。ファンケーシング８内にファンモータ７が置かれる。ターボファン７ａに吸い込み流を導く吸い込み案内口部材９は、前部枠体３に形成される。
【００１８】
制御装置１０は、本体枠体１の前側上部に備えられる。この制御装置１０により、空気清浄機の運転が制御される。表示装置（図示せず）は、制御装置１０の近くに設けられる。
【００１９】
空気は、前パネル４の吸気口１１から吸い込まれ、フィルタユニット５内を流通して塵埃の除去が行なわれる。また、空気に含まれる臭いやホルムアルデヒド等の成分物質を除去する。
【００２０】
気化フィルタ６は、塵埃や臭いやホルムアルデヒド等の成分物質が除去された空気に水分を加湿する。そして、ファンモータ７に吸い込まれた空気は、送風口１２から空気清浄機の外部に送風される。
【００２１】
カートリッジ給水タンク１３は、気化フィルタ６に水分を浸み込ませる貯溜水タンク１４に水を補充する。このカートリッジ給水タンク１３は、本体枠体１の側面に取り外し自在に備わる。
【００２２】
図示されていないが、カートリッジ給水タンク１３の底部に設けたキャップは、水の出口を塞ぐ弁体を有する。カートリッジ給水タンク１３を本体枠体１からは外すと、弁体は出口を塞ぎ、本体枠体１に装着すると、弁体は出口を開くように作動する。カートリッジ給水タンク１３の着脱は、タンク検知スイッチ（脱着検知手段）にて検知されるようになっている。
【００２３】
次に制御装置１０の制御回路について、図３に沿って説明する。
【００２４】
商用電源は、コンセント１５、温度ヒューズ１６を介して整流回路１７に導かれる。整流回路１７で整流された直流は、ファンモータ７の電動機７ｂに供給される。電動機７ｂはインバータ駆動モータで、インバータ駆動源やインバータ駆動源を制御するインバータ制御回路を内蔵している。
【００２５】
定電圧発生回路１８は、整流回路１７の電圧（１４１Ｖ）を１５Ｖ程度に降圧する。１５Ｖの直流電圧は、フィルタ回路１９を介して電動機７ｂに供給される。
【００２６】
また、１５Ｖの直流電圧は、定電圧発生回路３０により１０Ｖに降圧され、この１０Ｖの直流電圧は、定電圧発生回路３１により５Ｖに降圧されてマイコン３２の電力として供給される。制御回路の主要部をなすマイコン３２は、プログラムにしたがって種々の制御を司る。
【００２７】
リセットＩＣ３３は、５Ｖの直流電圧を検知している。その直流電圧が５Ｖに達すると、リセットＩＣ３３はマイコン３２にリセット信号を出力し、マイコン３２は起動する。水晶振動子３４は、マイコン３２に駆動パルス信号を供給する。
【００２８】
Ｆ／Ｖ変換回路３５は、マイコン３２で作られた電動機７ｂの速度制御信号を（０〜６）Ｖの電圧制御信号に変換して電動機７ｂのインバータ制御回路に供給する。この電圧制御信号により、電動機７ｂは低速から高速に至る複数段階の速度制御が行なわれる。
【００２９】
スイッチ３６は、空気清浄機の運転を入り切リするスイッチで、マイコン３２はスイッチ３６の信号を読んで空気清浄機の運転・停止を行なう。この空気清浄機は、光リモコンでも運転操作ができるように光リモコンの光受信機３７を有し、光リモコンの操作信号は光受信機３７を介してマイコン３２に伝えられる。
【００３０】
テスト端子部３８は、製造時やメンテナンスで使う。通常は使われない。テスト信号はテスト端子部３８を介してマイコン３２に伝えられる種々のテストや設定等も行なわれる。
【００３１】
報知手段としての表示装置３９は、空気清浄機の各種運転に関する表示が行なわれる。トランジスター５０、インバータ５１を介してマイコン３２から表示信号が送られる表示装置３９は、表示ランプ、表示管、液晶表示等、各種の表示手段を含む。
【００３２】
ブザー５２は音による報知手段で、異状時や運転切替時にも報知音が発せられる。
【００３３】
ダストセンサー５３や臭いセンサー５４の検知信号はマイコン３２に取り込まれて演算処理が行われ、空気清浄機の各種運転に活かされる。
【００３４】
マイコン３２の指示で作動制御されるイオン発生器は、アレルオフイオン（マイナスイオン）を発する。
【００３５】
リードスイッチ５５は、カートリッジ給水タンク１３の脱着を検知する脱着検知手段である。このリードスイッチ５５は、カートリッジ給水タンク１３が装着される本体枠体１の装着部に設けられる。
【００３６】
カートリッジ給水タンク１３には、マグネット５６が設けられ、カートリッジ給水タンク１３を本体枠体１の装着部にセットすると、マグネット５６に引かれてリードスイッチ５５（脱着検知手段）は、はオンする。カートリッジ給水タンク１３を外すと、リードスイッチ５５はオフする。このリードスイッチ５５（脱着検知手段）のオン・オフの信号をマイコン３２は読んで、カートリッジ給水タンク１３の着脱を判断する。
【００３７】
記憶部５７はＥＥＰＲＯＭで形成され、後述するカートリッジ給水タンク１３の水交換時期の報知や空気清浄機のメンテナンス時期の報知に関するプログラム等を格納している。水交換時期の所定時間を計測する水交換時期計測タイマ機能やメンテナンス時期を計測するメンテナンス時期計測タイマ機能は、制御回路のマイコン３２に設けられる。
【００３８】
また、表示装置３９は、水交換時期を報知する水交換時期表示ランプ（水交換時期表示手段）、メンテナンス時期を報知するメンテナンス時期表示ランプ（メンテナンス時期表示手段）を有する。
【００３９】
制御回路のマイコン３２の水交換時期計測タイマ機能により、カートリッジ給水タンク１３の水交換は計測される。そして、カートリッジ給水タンク１３の水交換が、所定時間交換されずに、例えば２４時間経過すると、水交換時期表示ランプの消灯表示により水交換時期に来たことが報知される。
【００４０】
これにより、ユーザはカートリッジ給水タンク１３の水交換が来たことを知覚し、水が腐る前に水交換を行なうことができる。しかも、カートリッジ給水タンク１３の着脱が行なわれる時間を制御回路の水交換時期計測タイマ機能で計測するだけであるので、構成が簡単である。特別な装置を備える必要もないので、安価にできる。
【００４１】
また、空気清浄機の掃除を含むメンテナンス時期の計測は、カートリッジ給水タンク１３の着脱をカウントして行なう。カートリッジ給水タンク１３の着脱が所要回数、例えば３０回になると、メンテナンス時期表示ランプの表示によりメンテナンス時期に来たことが報知される。
【００４２】
これにより、ユーザはメンテナンス時期が来たことを知覚し、空気清浄機のメンテナンスを欠かさず定期的に実施することができる。しかも、カートリッジ給水タンク１３の所要着脱回数を制御回路のメンテナンス計測タイマ機能で計測するだけであるので、構成が簡単である。特別な装置を備える必要もないので、安価にできる。
【００４３】
図４．図５のフローチャートに沿い、水交換時期や空気清浄機のメンテナンス時期の報知について詳しく説明する。
【００４４】
まず、図４に示す水交換時期の報知に関して述べる。
【００４５】
ステップ４０１で、電源プラグＯＮ（電源プラグの差込）が行なわれる。電源プラグが差込まれると、マイコン３２の水交換時期計測タイマ機能はタイマスタートを開始する（ステップ４０２）。
【００４６】
スイッチ３６が押されて空気清浄機の運転が開始される（ステップ４０３）。水交換時期表示ランプであるミストランプの点灯が行なわれる（ステップ４０４）。
【００４７】
そして、ステップ４０５で、２４時間（所定時間）経過について判定される。２４時間経過しているときは、ミストランプ（水交換時期表示ランプ）の消灯が行なわれる（ステップ４０７）。
【００４８】
本実施例においては、ステップ４０５の所定時間を少なくとも２４時間としたが、使用時の気温や水質等によって適切なか時間に変わりうるのは言うまでもない。
【００４９】
これにより、ユーザはカートリッジ給水タンク１３の水交換が来たことを知り、水が腐る前に水交換を行なうことができる。
【００５０】
水の交換によるカートリッジ給水タンク１３の脱着（ステップ４０８）により、２４時間タイマのリセットが行なわれる（ステップ４０９）。つまり、水交換時期計測タイマ機能は、最初に戻って時間の計測を開始する。
【００５１】
カートリッジ給水タンク１３の脱着が行なわれないと、ミストランプ（水交換時期表示ランプ）の消灯が行なわれる（ステップ４０７）の状態が継続する。
【００５２】
先のステップ４０５で、２４時間（所定時間）経過しなくとも、ステップ４０６でカートリッジ給水タンク１３の脱着が行なわれると、２４時間タイマのリセットが行なわれる（ステップ４０９）。水交換時期計測タイマ機能は、最初に戻って時間の計測を開始する。
【００５３】
このように、水交換時期計測タイマ機能と、水交換時期表示ランプの報知により、水交換が行なわれないまま２４時間（所定時間）経過したことが報知されるので、水が腐敗する前に水の交換が促され、良い衛生状態を受けることができる。
【００５４】
図５に示すメンテナンス時期の報知に関して述べる。
【００５５】
ステップ５０１で、電源プラグＯＮ（電源プラグの差込）が行なわれる。電源プラグが差込まれると、マイコン３２のメンテナンス時期計測タイマ機能はタイマスタートを開始する（ステップ５０２）。
【００５６】
スイッチ３６が押されて空気清浄機の運転が開始される（ステップ５０３）。そして、制御回路のメンテナンス時期計測タイマ機能で、カートリッジ給水タンク１３の脱着回数がカウントされる。
【００５７】
ステップ５０４で、カートリッジ給水タンク１３の脱着が２９回行なわれているか判定される。２９回行なわれたことが判定されると、次のステップ５０５でカートリッジ給水タンク１３の脱着が行なわれないまま所定時間（２４時間）の経過について判定される。
【００５８】
ステップ５０５では、所定時間（２４時間）の経過を一回とカウントして先の２９回に一回を加算する。３０回（３０日）に達したと判定されると、ステップ５０６でお手入れランプ点灯（メンテナンス時期表示ランプの点灯表示）が行なわれ、メンテナンス時期が来たことが報知される。
【００５９】
これにより、ユーザは空気清浄機の掃除やメンテナンス時期が来たことを知り、掃除を含むメンテナンスを忘れずに実施することができる。
【００６０】
メンテナンスに伴なうカートリッジ給水タンク１３の脱着（ステップ５０７）で、メンテナンス時期計測タイマ機能のタイマがリセットされる（ステップ５０８）。ここで、メンテナンス時期計測タイマ機能は最初（ステップ５０２）に戻って回数の計測を開始する。
【００６１】
先のステップ５０５で、３０回（３０日）に満たないと判定されると、ステップ５０９で、再度、カートリッジ給水タンク１３の脱着または所定時間（２４時間）の経過が判定される。脱着または所定時間（２４時間）の経過があった（ＹＥＳ）と判定されたときには、ステップ５０６でメンテナンス時期が来たことが報知される。
【００６２】
先のステップ５０９で、脱着または所定時間（２４時間）の経過がない（ＮＯ）と判断されたときは、ステップ５１０で、再度、カートリッジ給水タンク１３の脱着の有無について判定され、ＹＥＳのときはステップ５０６でメンテナンス時期が来たことが報知される。ＮＯのときはステップ５０５に戻る。
【００６３】
先のステップ５０４で、ＮＯと判断されたときは、ステップ５１１に移る。ステップ５１１では、ステップ５０５と同じ機能が実行され、３０回（３０日）に達したと判定されたときには、ステップ５０６でメンテナンス時期が来たことが報知される。達しないと判定されたときには、ステップ５０４に戻る。
【００６４】
このように、メンテナンス時期計測タイマ機能と、メンテナンス時期表示ランプの報知により、一月に一回程度の頻度で空気清浄機の掃除やメンテナンス時期が来たことが知らされるので、メンテナンスを欠かさず定期的に行なうことができる。
【図面の簡単な説明】
【００６５】
【図１】本発明の実施例を示すもので、空気清浄機の外観斜視図。
【図２】本発明の実施例を示すもので、空気清浄機の縦断面図。
【図３】本発明の実施例を示すもので、制御回路図。
【図４】本発明の実施例を示すもので、水交換時期の報知に関するフローチャート図。
【図５】本発明の実施例を示すもので、メンテナンス時期の報知に関するフローチャート図。
【符号の説明】
【００６６】
５…フィルタユニット、７…ファンモータ、６…気化フィルタ、１３…カートリッジ給水タンク、１０…制御回路、３９…表示装置、５５…リードスイッチ。
【図１】
0004550675.tif 000002
【図２】
0004550675.tif 000003
【図３】
0004550675.tif 000004
【図４】
0004550675.tif 000005
【図５】
0004550675.tif 000006